(57)【要約】【課題】従来と同等の振動防止力を備え、且つ、電線に乗り上げる障害を防止できるクリスマスツリー型ダンパを提供する。【解決手段】第１のダンパ１０の両方の把持部１３、１６は、所定の間隔で架空送電線５０を把持し、第２のダンパ２０の一方の把持部２３は、第１のダンパ１０の添線１１を把持し、他方は所定の間隔で架空送電線５０を把持し、第３のダンパ３０の一方の把持部３３は、第２のダンパ２０の他方の把持部２６に対し、所定の間隔で架空送電線５０を把持し、他方は、第１のダンパ１０の所定の間隔で架空送電線５０を把持し、第４のダンパ４０の一方の把持部４３は、第３のダンパ３０の添線３１を把持し、他方は第２のダンパ２０の所定の間隔で架空送電線５０を把持する。【選択図】  図１
2012029413.tif 000002
【特許請求の範囲】
【請求項１】
架空送電線及び又は地線の風による振動を防止するクリスマスツリー型ダンパであって、
４本の添線と、把持部と嵌合部とを具備する８個のクランプ部とを有し、
前記４本添線の両端が、前記８個のクランプ部の各嵌合部にそれぞれ単独に挿入されて嵌合され、４本のダンパを形成し、
第１のダンパの両方の把持部は、所定の間隔で架空送電線を把持し、
第２のダンパの把持部の一方は、前記第１のダンパの前記添線を把持し、他方は所定の間隔で架空送電線を把持し、
第３のダンパの把持部の一方は、前記第２のダンパの前記他方の把持部に対し、所定の間隔で架空送電線を把持し、他方は、前記第１のダンパの前記所定の間隔で架空送電線を把持し、
第４のダンパの把持部の一方は、前記第３のダンパの前記添線を把持し、他方は前記第２のダンパの前記所定の間隔で架空送電線を把持することを特徴とするクリスマスツリー型ダンパ。
【発明の詳細な説明】
【技術分野】
【０００１】
本発明は、架空送電線等の風による振動を防止するダンパに係り、より詳しくは、ダンパが電線に乗り上げる障害を防止することができるクリスマスツリー型ダンパに関する。
【背景技術】
【０００２】
架空送電線及び地線の風による振動を防止するダンパには、特許文献１に示されるようなロッド型ダンパがある。ところがロッド型ダンパは、着雪が一方向に発達しやすく、この発達した着雪が風を受けると線は揚力を受け、ギャロッピングが発生し、断線などの障害が生じるという問題があった。
【０００３】
この問題を解決したものに、クリスマスツリー型ダンパがある。図２は、従来のクリスマスツリー型ダンパの構成を示す構成図である。図２において、従来のクリスマスツリー型ダンパ２００は、添線６１、７１、８１と、把持部６３、６６、７３、７６、８３、８６と嵌合部６４、６７、７４、７７、８４、８７とを具備するクランプ部６２、６５、７２、７５、８２、８５とを有している。
【０００４】
第１のダンパ６０は、添線６１の一端がクランプ部６２の嵌合部６４に挿入されて嵌合され、他端がクランプ部６５の嵌合部６７に挿入されて嵌合されている。第２のダンパ７０は、添線７１の一端がクランプ部７２の嵌合部７４に挿入されて嵌合され、他端がクランプ部７５の嵌合部７７に挿入されて嵌合されている。また、第３のダンパ８０は、添線８１の一端がクランプ部８２の嵌合部８４に挿入されて嵌合され、他端がクランプ部８５の嵌合部８７に挿入されて嵌合されている。
【０００５】
そして、従来のクリスマスツリー型ダンパ２００は、第１のダンパ６０の両方の把持部６３、６６が、所定の間隔で架空送電線５０を把持し、第２のダンパ７１の一方の把持部７３が、第１のダンパ６０の添線６１を把持し、他方の把持部７６が、所定の間隔で架空送電線５０を把持し、第３のダンパ８０の一方の把持部８３が、第２のダンパ７０の添線７１を把持し、他方の把持部８６が、第２のダンパ７０の成す所定の間隔で架空送電線５０を把持して、構成されている。
【０００６】
この従来のクリスマスツリー型ダンパ２００の構成により、着雪が一方向に発達しやすく、この発達した着雪が風を受けると線は揚力を受け、ギャロッピングが発生し、断線などの障害は解消されるが、クランプ部が架空送電線に乗り上げるという障害が、新たに発生した。クランプ部の乗り上げについて、次に説明する。
【０００７】
図３は、従来のダンパの乗り上げを示すクランプ部の乗り上げ図である。図３において、円で囲まれた第３のダンパ８０のクランプ部８２が、架空送電線５０に乗り上げている。このクリスマスツリー型ダンパの構成は、第１〜３のダンパ６０，７０、８０を図のように互いに連結し、ダンパとしての効果をより高めることにより、所定の径間に設定された架空送電線及び地線の風による振動を防止するものであるが、このように３連結すると、ダンパ全体の径間が長くなることによる乗り上げの可能性が発生している。
【０００８】
特許文献１には、架空電線に取付けられる把持部を有し、この把持部に支持されて架空電線方向に延在する鋼撚り線を備え、この鋼撚り線の両端部に筒状の穴を有して差し込むことで外側を六角状に圧縮して鋼撚り線に圧着する金属体を設け、鋼撚り線の両端部に圧着した六角状の金属体に六角孔を有して嵌入することで鋼撚り線に両端部から捩りモーメントを加えるように固定した重錘を備え、金属体を重錘の両端でカシメることで鋼撚り線に重錘を固着する旨の記載がある。
【先行技術文献】
【特許文献】
【０００９】
【特許文献１】特開２００１−３０９５３４号公報
【発明の概要】
【発明が解決しようとする課題】
【００１０】
本発明は、このような問題を解決するためになされたものであり、その目的は、従来と同等の振動防止力を備え、且つ、ダンパが電線に乗り上げる障害を防止することができるクリスマスツリー型ダンパを提供する。
【課題を解決するための手段】
【００１１】
本発明のクリスマスツリー型ダンパは、架空送電線及び又は地線の風による振動を防止するクリスマスツリー型ダンパであって、４本の添線と、把持部と嵌合部とを具備する８個のクランプ部とを有し、４本添線の両端が、８個のクランプ部の各嵌合部にそれぞれ単独に挿入されて嵌合され、４本のダンパを形成し、第１のダンパの両方の把持部は、所定の間隔で架空送電線を把持し、第２のダンパの把持部の一方は、第１のダンパの添線を把持し、他方は所定の間隔で架空送電線を把持し、第３のダンパの把持部の一方は、第２のダンパの他方の把持部に対し、所定の間隔で架空送電線を把持し、他方は、第１のダンパの所定の間隔で架空送電線を把持し、第４のダンパの把持部の一方は、第３のダンパの添線を把持し、他方は第２のダンパの所定の間隔で架空送電線を把持することを特徴とする。
【発明の効果】
【００１２】
本発明によれば、従来と同等の振動防止力を備え、且つ、ダンパが電線に乗り上げる障害を防止することが可能なクリスマスツリー型ダンパを提供することができる。
【図面の簡単な説明】
【００１３】
【図１】本発明によるクリスマスツリー型ダンパの構成を示す構成図。
【図２】従来のクリスマスツリー型ダンパの構成を示す構成図。
【図３】従来のダンパの乗り上げを示すクランプ部の乗り上げ図。
【発明を実施するための形態】
【実施例】
【００１４】
本発明の実施の形態について、図を用いて説明する。図１は、本発明のクリスマスツリー型ダンパの構成を示す構成図である。図１において、本発明のクリスマスツリー型ダンパ１００は、添線１１、２１、３１、４１と、把持部１３、１６、２３、２６、３３、３６、４３、４６と嵌合部１４、１７、２４、２７、３４、３７、４４、４７とを具備するクランプ部１２、１５、２２、２５、３２、３５、４２、４５とを有している。
【００１５】
第１のダンパ１０は、添線１１の一端がクランプ部１２の嵌合部１４に挿入されて嵌合され、他端がクランプ部１５の嵌合部１７に挿入されて嵌合されている。第２のダンパ２０は、添線２１の一端がクランプ部２２の嵌合部２４に挿入されて嵌合され、他端がクランプ部２５の嵌合部２７に挿入されて嵌合されている。また、第３のダンパ３０は、添線３１の一端がクランプ部３２の嵌合部３４に挿入されて嵌合され、他端がクランプ部３５の嵌合部３７に挿入されて嵌合されている。第４のダンパ４０は、添線４１の一端がクランプ部４２の嵌合部４４に挿入されて嵌合され、他端がクランプ部４５の嵌合部４７に挿入されて嵌合されている。
【００１６】
そして、本発明のクリスマスツリー型ダンパ１００は、第１のダンパ１０の両方の把持部１３、１６が、所定の間隔で架空送電線５０を把持し、第２のダンパ２０の一方の把持部２３が、第１のダンパ１０の添線１１を把持し、他方の把持部２６が、所定の間隔で架空送電線５０を把持している。また、第３のダンパ３０の一方の把持部３３は、第２のダンパ２０の他方の把持部２６に対し、所定の間隔で架空送電線５０を把持し、他方の把持部３６が、第１のダンパ１０の所定の間隔で架空送電線５０を把持し、第４のダンパ４０の一方の把持部４３が、第３のダンパ３０の添線３１を把持し、他方の把持部４６は第２のダンパ２０の所定の間隔で架空送電線５０を把持して、構成されている。
【００１７】
このように、第１のダンパ１０と第２のダンパ２０とが、また第３のダンパ３０と第４のダンパ４０とが、それぞれ一対となって、所定の間隔で架空送電線５０に取付けられることにより、従来のクリスマスツリー型ダンパ２００と同等の振動防止力を備えることができる。また、この構成により一対の径間が短縮されるため、径間が長いことによる乗り上げの可能性を解消することができる。したがって、従来と同等の振動防止力を備え、且つ、電線に乗り上げる障害を防止できるクリスマスツリー型ダンパを提供することができる。
【符号の説明】
【００１８】
１０、６０    第１のダンパ
２０、７０    第２のダンパ
３０、８０    第３のダンパ
４０          第４のダンパ
１１、２１、３１、４１、６１、７１、８１  添線
１２、１５、２２、２５、３２、３５、４２、４５、６２、６５、７２、７５、８２、８５    クランプ部
１３、１６、２３、２６、３３、３６、４３、４６、６３、６６、７３、７６、８３、８６    把持部
１４、１７、２４、２７、３４、３７、４４、４７、６４、６７、７４、７７、８４、８７    嵌合部
５０    架空送電線／地線
１００    本発明のクリスマスツリー型ダンパ
２００    従来のクリスマスツリー型ダンパ
【図１】
2012029413.tif 000003
【図２】
2012029413.tif 000004
【図３】
2012029413.tif 000005